(57)【要約】【課題】マルチモードの携帯端末装置における他システムへのハンドオーバー時に行われるＲＳＳＩモニタリングにおいて、広範囲なダイナミックレンジを確保する。【解決手段】携帯端末装置は、受信信号を増幅するＲｘゲインアンプ６−Ｉ，６−Ｑ，８−Ｉ，８−Ｑと、Ｒｘゲインアンプ６−Ｉ，６−Ｑ，８−Ｉ，８−Ｑに設定するゲイン設定値を予め記憶する不揮発メモリ１１と、通常動作時には、通常動作時のゲイン設定値を不揮発メモリ１１から読み出してＲｘゲインアンプ６−Ｉ，６−Ｑ，８−Ｉ，８−Ｑに設定し、接続中のネットワークから他のネットワークに切り替えるハンドオーバー時には、他のネットワークのＲＳＳＩモニタリング用のゲイン設定値を不揮発メモリ１１から読み出してＲｘゲインアンプ６−Ｉ，６−Ｑ，８−Ｉ，８−Ｑに設定するＣＰＵ１０とを備える。【選択図】  図１
2011109220.tif 000002
【特許請求の範囲】
【請求項１】
受信信号を増幅するゲインアンプと、
このゲインアンプに設定するゲイン設定値を予め記憶する不揮発メモリと、
通常動作時には、通常動作時のゲイン設定値を前記不揮発メモリから読み出して前記ゲインアンプに設定し、接続中のネットワークから他のネットワークに切り替えるハンドオーバー時には、前記他のネットワークのＲＳＳＩモニタリング用のゲイン設定値を前記不揮発メモリから読み出して前記ゲインアンプに設定するゲイン設定手段と、
前記ゲインアンプの出力信号の強度をＲＳＳＩとして測定するＲＳＳＩ測定手段とを備えることを特徴とする携帯端末装置。
【請求項２】
受信信号を増幅するゲインアンプと、
このゲインアンプに設定するゲイン設定値を予め記憶する不揮発メモリと、
通常動作時には、通常動作時のゲイン設定値を前記不揮発メモリから読み出して前記ゲインアンプに設定し、接続中のネットワークから他のネットワークに切り替えるハンドオーバー時には、ＲＳＳＩの値に応じて、弱電界と強電界に対応する通常動作時の２つのゲイン設定値のうちどちらかを前記不揮発メモリから読み出して前記ゲインアンプに設定するゲイン設定手段と、
前記ゲインアンプの出力信号の強度をＲＳＳＩとして測定するＲＳＳＩ測定手段とを備えることを特徴とする携帯端末装置。
【請求項３】
請求項１または２記載の携帯端末装置において、
前記ゲイン設定手段は、通常動作時に、前記ＲＳＳＩの値に基づいて、前記ゲインアンプの出力レベルが一定となるゲイン設定値を前記不揮発メモリから読み出して前記ゲインアンプに設定することを特徴とする携帯端末装置。
【請求項４】
請求項２または３記載の携帯端末装置において、
前記ゲイン設定手段は、ハンドオーバー時に、前記２つのゲイン設定値のうち、ＲＳＳＩモニタリング用の初期値として予め決定されている一方のゲイン設定値を前記不揮発メモリから読み出して前記ゲインアンプに設定し、このゲイン設定値の設定後に前記ＲＳＳＩ測定手段で測定されたＲＳＳＩ値と前記不揮発メモリに予め記憶されている所定の切替レベルとを比較して、前記２つのゲイン設定値のうち他方のゲイン設定値に切り替えるかどうかを判定することを特徴とする携帯端末装置。
【請求項５】
請求項４記載の携帯端末装置において、
前記ゲイン設定手段は、前記２つのゲイン設定値のうち、弱電界に対応する通常動作時のゲイン設定値がＲＳＳＩモニタリング用の初期値として予め決定されている場合は、前記ＲＳＳＩ測定手段で測定されたＲＳＳＩ値が前記切替レベルよりも大きいときに、強電界に対応する通常動作時のゲイン設定値に切り替え、前記２つのゲイン設定値のうち、強電界に対応する通常動作時のゲイン設定値がＲＳＳＩモニタリング用の初期値として予め決定されている場合は、前記ＲＳＳＩ測定手段で測定されたＲＳＳＩ値が前記切替レベルよりも小さいときに、弱電界に対応する通常動作時のゲイン設定値に切り替えることを特徴とする携帯端末装置。
【請求項６】
請求項１乃至５のいずれか１項に記載の携帯端末装置において、
さらに、測定されたＲＳＳＩの値を基地局に送信する送信手段を備えることを特徴とする携帯端末装置。
【請求項７】
通常動作時には、通常動作時のゲイン設定値を不揮発メモリから読み出して、受信信号を増幅するゲインアンプに設定し、接続中のネットワークから他のネットワークに切り替えるハンドオーバー時には、前記他のネットワークのＲＳＳＩモニタリング用のゲイン設定値を前記不揮発メモリから読み出して前記ゲインアンプに設定するゲイン設定手順と、
前記ゲインアンプの出力信号の強度をＲＳＳＩとして測定するＲＳＳＩ測定手順とを備えることを特徴とする携帯端末装置のＲＳＳＩモニタリング方法。
【請求項８】
通常動作時には、通常動作時のゲイン設定値を不揮発メモリから読み出して、受信信号を増幅するゲインアンプに設定し、接続中のネットワークから他のネットワークに切り替えるハンドオーバー時には、ＲＳＳＩの値に応じて、弱電界と強電界に対応する通常動作時の２つのゲイン設定値のうちどちらかを前記不揮発メモリから読み出して前記ゲインアンプに設定するゲイン設定手順と、
前記ゲインアンプの出力信号の強度をＲＳＳＩとして測定するＲＳＳＩ測定手順とを備えることを特徴とする携帯端末装置のＲＳＳＩモニタリング方法。
【請求項９】
請求項７または８記載の携帯端末装置のＲＳＳＩモニタリング方法において、
前記ゲイン設定手順は、通常動作時に、前記ＲＳＳＩの値に基づいて、前記ゲインアンプの出力レベルが一定となるゲイン設定値を前記不揮発メモリから読み出して前記ゲインアンプに設定することを特徴とする携帯端末装置のＲＳＳＩモニタリング方法。
【請求項１０】
請求項８または９記載の携帯端末装置のＲＳＳＩモニタリング方法において、
前記ゲイン設定手順は、ハンドオーバー時に、前記２つのゲイン設定値のうち、ＲＳＳＩモニタリング用の初期値として予め決定されている一方のゲイン設定値を前記不揮発メモリから読み出して前記ゲインアンプに設定し、このゲイン設定値の設定後に前記ＲＳＳＩ測定手順で測定されたＲＳＳＩ値と前記不揮発メモリに予め記憶されている所定の切替レベルとを比較して、前記２つのゲイン設定値のうち他方のゲイン設定値に切り替えるかどうかを判定することを特徴とする携帯端末装置のＲＳＳＩモニタリング方法。
【請求項１１】
請求項１０記載の携帯端末装置のＲＳＳＩモニタリング方法において、
前記ゲイン設定手順は、前記２つのゲイン設定値のうち、弱電界に対応する通常動作時のゲイン設定値がＲＳＳＩモニタリング用の初期値として予め決定されている場合は、前記ＲＳＳＩ測定手順で測定されたＲＳＳＩ値が前記切替レベルよりも大きいときに、強電界に対応する通常動作時のゲイン設定値に切り替え、前記２つのゲイン設定値のうち、強電界に対応する通常動作時のゲイン設定値がＲＳＳＩモニタリング用の初期値として予め決定されている場合は、前記ＲＳＳＩ測定手順で測定されたＲＳＳＩ値が前記切替レベルよりも小さいときに、弱電界に対応する通常動作時のゲイン設定値に切り替えることを特徴とする携帯端末装置のＲＳＳＩモニタリング方法。
【請求項１２】
請求項７乃至１１のいずれか１項に記載の携帯端末装置のＲＳＳＩモニタリング方法において、
さらに、測定されたＲＳＳＩの値を基地局に送信する送信手順を備えることを特徴とする携帯端末装置のＲＳＳＩモニタリング方法。
【発明の詳細な説明】
【技術分野】
【０００１】
本発明は、複数の無線通信システムに対応したマルチモードの携帯電話機等の携帯端末装置に係り、特に接続中の第１のネットワークから第２のネットワークに切り替えるハンドオーバー時のＲＳＳＩモニタリングに関するものである。
【背景技術】
【０００２】
昨今の携帯端末装置の進化は目覚ましく、複数の無線通信システム、例えばＧＳＭ（Global System for Mobile Communications）、ＷＣＤＭＡ（Wideband Code Division Multiple Access）、ＷＬＡＮ（Wireless LAN）、ＷＩＭＡＸ（Worldwide Interoperability for Microwave Access）、ＬＴＥ（Long Term Evolution）等に対応したマルチモード化が進んでおり、これからもマルチモード化の傾向は続くと考えられる。
【０００３】
複数の無線通信システムを途切れることなくシームレスに接続するためには、他システムの状況を正確に把握することが重要である。そこで、携帯端末装置は、接続中の第１のネットワークから第２のネットワークに切り替えるハンドオーバー時に第２のネットワークのＲＳＳＩ（Received Signal Strength Indicator：受信信号強度）をモニタリングするようにしている。このモニタリングにおいては、より広いＲＳＳＩダイナミックレンジを確保できることが望ましい。
【０００４】
図１は本発明の第１の実施の形態に係る携帯端末装置の送受信部の構成を示すブロック図であるが、従来においても送受信部全体の構成は同様であるので、図１を用いて従来の携帯端末装置の送受信部について説明する。
携帯端末装置の送受信部は、送受信ＲＦ（Radio Frequency）信号の処理を行うＲＦＩＣ（RF Integrated Circuit）１と、ＲＦＩＣ１から出力されるデジタルデータの処理を行うＣＰＵ（Central Processing Unit）１０と、ＣＰＵ１０とデータの受け渡しを行う不揮発メモリ１１とを有する。
【０００５】
ＲＦＩＣ１の内部には、大きく分けて送信部１−ＴＸと受信部１−ＲＸとがある。図１では、送信部１−ＴＸの構成を省略している。受信部１−ＲＸは、図示しないアンテナからの受信ＲＦ信号を低雑音で増幅するＬＮＡ（Low Noise Amplifier）２と、受信ＲＦ信号をベースバンド帯域の信号に変換するミキサ３−Ｉ，３−Ｑと、ローカル信号を生成するＶＣＯ（Voltage Controlled Oscillator）４と、ローカル信号をミキサ３−Ｉに出力する共にローカル信号を９０°位相をずらしてミキサ３−Ｑに出力する９０°位相分配器５と、ベースバンド帯域に変換されたＩＱ信号を所望の信号電力に増幅するＲｘゲインアンプ（Rx Gain Amplifier）６−Ｉ，６−Ｑ，８−Ｉ，８−Ｑと、不要信号を減衰させるＢＢ（BaseBand）フィルタ７−Ｉ，７−Ｑと、ＩＱ信号をアナログ信号からデジタルデータに変換するＡ／Ｄ変換器９とから構成されている。
【０００６】
図１を用いて信号の流れを説明する。ＲＦＩＣ１のＬＮＡ２は、図示しないアンテナから入力された受信ＲＦ信号を増幅する。ＬＮＡ２によって増幅された受信ＲＦ信号は、ミキサー３−Ｉでローカル信号と混合されてＲＦ帯域からベースバンド帯域の信号であるＩ信号に変換され、同様にミキサー３−Ｑでローカル信号と混合されてベースバンド帯域の信号であるＱ信号に変換される。Ｒｘゲインアンプ６−Ｉ，６−Ｑ，８−Ｉ，８−ＱはＩＱ信号を増幅し、ＢＢフィルタ７−Ｉ，７−ＱはＩＱ信号に含まれる不要信号を取り除く。Ａ／Ｄ変換器９は、Ｒｘゲインアンプ８−Ｉ，８−Ｑによって増幅されたＩＱ信号をデジタルデータに変換する。
【０００７】
図６は通常動作時のＲｘゲインの制御動作を示すフローチャートである。不揮発メモリ１１の図示しないＲｘゲインテーブルには、Ｒｘゲインアンプ６−Ｉ，６−Ｑ，８−Ｉ，８−Ｑに設定するＲｘゲイン設定値が予め登録されている。第１のネットワークに接続中の通常動作時においては、ＣＰＵ１０は、第１のネットワークの基地局から受信し、Ａ／Ｄ変換器９によってデジタル化されたＩＱ信号の強度をＲＳＳＩとして測定する（図６ステップＳ１００）。
【０００８】
そして、ＣＰＵ１０は、測定したＲＳＳＩの値に基づいて、Ａ／Ｄ変換器９の入力レベルが一定になるようなＲｘゲイン設定値を不揮発メモリ１１から読み出してＲＦＩＣ１のＲｘゲインアンプ６−Ｉ，６−Ｑ，８−Ｉ，８−Ｑに設定する（ステップＳ１０１）。こうして、様々な受信信号レベルに対してＡ／Ｄ変換器９の入力レベルが常に一定になるように制御される。このようなフィードバックによるゲインの制御技術、いわゆる自動利得制御技術については、例えば特許文献１に開示されている。
【０００９】
図７はハンドオーバー時のＲＳＳＩモニタリング動作を示すフローチャートである。通常動作時においては、接続中の第１のネットワークのＲＳＳＩ値を測定している。一方、接続中の第１のネットワークから第２のネットワークに切り替えるハンドオーバーの際には、第２のネットワークのＲＳＳＩ値を測定するＲＳＳＩモニタリングが必要となる。この場合、第１のネットワークの基地局は、ハンドオーバー時のＲＳＳＩモニタリングを行うよう携帯端末装置に指示する。携帯端末装置のＣＰＵ１０は、ＲＦＩＣ１を介して基地局からの指示を受け取ると（図７ステップＳ２００においてＹＥＳ）、不揮発メモリ１１に格納されている第２のネットワーク用の通常動作時のＲｘゲイン設定値のうち、ＲＳＳＩダイナミックレンジが最も広くとれるようなＲｘゲイン設定値をＲＦＩＣ１のＲｘゲインアンプ６−Ｉ，６−Ｑ，８−Ｉ，８−Ｑに設定し（ステップＳ２０１）、第２のネットワークの基地局から受信し、Ａ／Ｄ変換器９によってデジタル化されたＩＱ信号の強度をＲＳＳＩとして測定する（ステップＳ２０２）。
【００１０】
例えば、ＧＳＭとＷＣＤＭＡとのマルチモードシステムにおけるＷＣＤＭＡシステムからＧＳＭシステムへの切り替えの際には、ＧＳＭシステムの通常動作時に使用しているＲｘゲインテーブルから固定のＲｘゲイン設定値を読み出してＲｘゲインアンプ６−Ｉ，６−Ｑ，８−Ｉ，８−Ｑに設定する。
【００１１】
一方、特許文献１に開示された技術では、ハンドオーバーの際には、過去に保存された通常動作時のＲｘゲイン設定値の中から最適なＲｘゲイン設定値を設定するようにしていた。特許文献１に開示された技術では、ＷＣＤＭＡを想定しているため、フィードバック制御によって最適なＲｘゲイン設定値を設定するようにしている。本発明では、ＧＳＭを想定しており、図７に示したように、ＲＳＳＩダイナミックレンジが最も広くとれるようなＲｘゲイン設定値を設定するようにしている。
【先行技術文献】
【特許文献】
【００１２】
【特許文献１】特開２００５−２８６８０６
【発明の概要】
【発明が解決しようとする課題】
【００１３】
以上のように、ハンドオーバー時のＲＳＳＩモニタリングにおいては、通常動作時に使用しているＲｘゲイン設定値を読み出してＲｘゲインアンプに設定し、ＲＳＳＩ値を測定する手法が採用されている。このような無線システムでは、使用するＲＦＩＣによりＲｘゲインアンプの特性が異なるため、通常動作時に使用しているＲｘゲイン設定値では、適切な範囲でかつ十分なＲＳＳＩダイナミックレンジを確保できない場合があった。
【００１４】
この従来の問題点を図８を用いて説明する。図８は通常動作時のＲｘゲイン設定値を用いた場合のＲＳＳＩダイナミックレンジを示す図である。図８では、ＲＦＩＣ１に入力される受信電力（Ｉｎｐｕｔ  Ｐｏｗｅｒ）を横軸に示し、受信電力に対してＡ／Ｄ変換器９に出力されたＲＳＳＩ値の差分を縦軸に示している。ここでは、便宜上、所望のＲＳＳＩ値に対して、±１．０ｄＢの範囲のＲＳＳＩ値をダイナミックレンジと規定している。図８におけるＤＬＡ，ＤＬＢ，ＤＬＣは、それぞれＲｘゲインＡ，Ｂ，ＣをＲｘゲインアンプ６−Ｉ，６−Ｑ，８−Ｉ，８−Ｑに設定したときのＲＳＳＩダイナミックレンジである。
【００１５】
図８では、通常動作時のＲｘゲインＡ〜Ｃの３種類をＲｘゲインアンプ６−Ｉ，６−Ｑ，８−Ｉ，８−Ｑに設定した場合のＲＳＳＩダイナミックレンジを示しているが、それぞれのＲｘゲイン設定によりダイナミックレンジの広さ・範囲は異なる。上記のとおり、通常、最もダイナミックレンジが広くとれるようなゲイン設定にてＲＳＳＩモニタリングを実施するが、図８で最もダイナミックレンジが広くとれるＲｘゲインＣの設定でも、弱電界時（−１００ｄＢｍ程度）のＲＳＳＩ値は０．０ｄＢ±１．０ｄＢの範囲に入っておらず、ダイナミックレンジが十分であるとは言えない。ハンドオーバー時のＲＳＳＩモニタリングでは、他ネットワークの状況を正確に把握するために、より広いＲＳＳＩダイナミックレンジが確保できることが望ましい。
【００１６】
本発明は、上記課題を解決するためになされたもので、マルチモードの携帯端末装置における他システムへのハンドオーバー時に行われるＲＳＳＩモニタリングにおいて、広範囲なダイナミックレンジを確保することができる携帯端末装置およびＲＳＳＩモニタリング方法を提供することを目的とする。
【課題を解決するための手段】
【００１７】
本発明の携帯端末装置は、受信信号を増幅するゲインアンプと、このゲインアンプに設定するゲイン設定値を予め記憶する不揮発メモリと、通常動作時には、通常動作時のゲイン設定値を前記不揮発メモリから読み出して前記ゲインアンプに設定し、接続中のネットワークから他のネットワークに切り替えるハンドオーバー時には、前記他のネットワークのＲＳＳＩモニタリング用のゲイン設定値を前記不揮発メモリから読み出して前記ゲインアンプに設定するゲイン設定手段と、前記ゲインアンプの出力信号の強度をＲＳＳＩとして測定するＲＳＳＩ測定手段とを備えることを特徴とするものである。
また、本発明の携帯端末装置は、受信信号を増幅するゲインアンプと、このゲインアンプに設定するゲイン設定値を予め記憶する不揮発メモリと、通常動作時には、通常動作時のゲイン設定値を前記不揮発メモリから読み出して前記ゲインアンプに設定し、接続中のネットワークから他のネットワークに切り替えるハンドオーバー時には、ＲＳＳＩの値に応じて、弱電界と強電界に対応する通常動作時の２つのゲイン設定値のうちどちらかを前記不揮発メモリから読み出して前記ゲインアンプに設定するゲイン設定手段と、前記ゲインアンプの出力信号の強度をＲＳＳＩとして測定するＲＳＳＩ測定手段とを備えることを特徴とするものである。
【００１８】
また、本発明の携帯端末装置のＲＳＳＩモニタリング方法は、通常動作時には、通常動作時のゲイン設定値を不揮発メモリから読み出して、受信信号を増幅するゲインアンプに設定し、接続中のネットワークから他のネットワークに切り替えるハンドオーバー時には、前記他のネットワークのＲＳＳＩモニタリング用のゲイン設定値を前記不揮発メモリから読み出して前記ゲインアンプに設定するゲイン設定手順と、前記ゲインアンプの出力信号の強度をＲＳＳＩとして測定するＲＳＳＩ測定手順とを備えることを特徴とするものである。
また、本発明の携帯端末装置のＲＳＳＩモニタリング方法は、通常動作時には、通常動作時のゲイン設定値を不揮発メモリから読み出して、受信信号を増幅するゲインアンプに設定し、接続中のネットワークから他のネットワークに切り替えるハンドオーバー時には、ＲＳＳＩの値に応じて、弱電界と強電界に対応する通常動作時の２つのゲイン設定値のうちどちらかを前記不揮発メモリから読み出して前記ゲインアンプに設定するゲイン設定手順と、前記ゲインアンプの出力信号の強度をＲＳＳＩとして測定するＲＳＳＩ測定手順とを備えることを特徴とするものである。
【発明の効果】
【００１９】
本発明によれば、ハンドオーバー時に他ネットワークのＲＳＳＩモニタリング用のゲイン設定値をゲインアンプに設定することにより、使用するＲＦＩＣの最適なゲイン設定でＲＳＳＩモニタリングを行うことが可能となり、従来のように通常動作時のゲイン設定値を使用する場合よりもＲＳＳＩダイナミックレンジを広く確保することが可能となる。
【００２０】
また、本発明では、それぞれ弱電界と強電界に対応する通常動作時の２つのゲイン設定値を適切に切り替えることによって、弱電界に対応するゲイン設定値を用いた場合のＲＳＳＩダイナミックレンジと強電界に対応するゲイン設定値を用いた場合のＲＳＳＩダイナミックレンジを補い合うことが可能となるため、弱電界から強電界までの広範囲なＲＳＳＩダイナミックレンジを確保することが可能となる。
【図面の簡単な説明】
【００２１】
【図１】本発明の第１の実施の形態に係る携帯端末装置の送受信部の構成を示すブロック図である。
【図２】本発明の第１の実施の形態に係る携帯端末装置のハンドオーバー時のＲＳＳＩモニタリング動作を示すフローチャートである。
【図３】従来の通常動作時のＲｘゲイン設定値を用いた場合のＲＳＳＩダイナミックレンジと本発明の第１の実施の形態のＲＳＳＩモニタリング用の最適Ｒｘゲイン設定値を用いた場合のＲＳＳＩダイナミックレンジとを示す図である。
【図４】本発明の第２の実施の形態に係る携帯端末装置のハンドオーバー時のＲＳＳＩモニタリング動作を示すフローチャートである。
【図５】本発明の第２の実施の形態において弱電界Ｒｘゲイン設定値を用いた場合のＲＳＳＩダイナミックレンジと強電界Ｒｘゲイン設定値を用いた場合のＲＳＳＩダイナミックレンジとを示す図である。
【図６】携帯端末装置の通常動作時のＲｘゲインの制御動作を示すフローチャートである。
【図７】携帯端末装置のハンドオーバー時のＲＳＳＩモニタリング動作を示すフローチャートである。
【図８】通常動作時のＲｘゲイン設定値を用いた場合のＲＳＳＩダイナミックレンジを示す図である。
【発明を実施するための形態】
【００２２】
［第１の実施の形態］
以下、本発明の実施の形態について図面を参照して説明する。本発明の第１の実施の形態に係る携帯端末装置の送受信部の構成を示すブロック図である。
携帯端末装置の送受信部は、ＲＦＩＣ１と、ＣＰＵ１０と、不揮発メモリ１１とを有する。ＲＦＩＣ１の内部には、大きく分けて送信部１−ＴＸと受信部１−ＲＸとがある。受信部１−ＲＸは、ＬＮＡ２と、ミキサ３−Ｉ，３−Ｑと、ＶＣＯ４と、９０°位相分配器５と、Ｒｘゲインアンプ６−Ｉ，６−Ｑ，８−Ｉ，８−Ｑと、ＢＢフィルタ７−Ｉ，７−Ｑと、Ａ／Ｄ変換器９とから構成されている。ＣＰＵ１０は、Ｒｘゲインアンプ６−Ｉ，６−Ｑ，８−Ｉ，８−ＱのＲｘゲインを設定するゲイン設定手段を構成し、またＡ／Ｄ変換器９とＣＰＵ１０とは、ＲＳＳＩを測定するＲＳＳＩ測定手段を構成している。
【００２３】
ＲＦＩＣ１のＬＮＡ２は、図示しないアンテナから入力された受信ＲＦ信号を増幅する。ＬＮＡ２によって増幅された受信ＲＦ信号は、ミキサー３−Ｉでローカル信号と混合されてＲＦ帯域からベースバンド帯域の信号であるＩ信号に変換され、同様にミキサー３−Ｑでローカル信号と混合されてベースバンド帯域の信号であるＱ信号に変換される。Ｒｘゲインアンプ６−Ｉ，６−Ｑ，８−Ｉ，８−ＱはＩＱ信号を増幅し、ＢＢフィルタ７−Ｉ，７−ＱはＩＱ信号に含まれる不要信号を取り除く。Ａ／Ｄ変換器９は、Ｒｘゲインアンプ８−Ｉ，８−Ｑによって増幅されたＩＱ信号をデジタルデータに変換する。
【００２４】
通常動作時のＲｘゲインの制御動作は、図６に示したとおりである。一方、本実施の形態の不揮発メモリ１１には、通常動作時のＲｘゲイン設定値とは別に、他ネットワークのＲＳＳＩモニタリング時に用いるＲｘゲイン設定値として、最もダイナミックレンジが広くとれるＲｘゲイン設定値が予め登録されている。
【００２５】
図２は本実施の形態のハンドオーバー時のＲＳＳＩモニタリング動作を示すフローチャートである。接続中の第１のネットワークから第２のネットワークに切り替えるハンドオーバーの際には、第１のネットワークの基地局は、ハンドオーバー時のＲＳＳＩモニタリングを行うよう携帯端末装置に指示する。携帯端末装置のＣＰＵ１０は、ＲＦＩＣ１を介して基地局からの指示を受け取ると（図２ステップＳ１においてＹＥＳ）、不揮発メモリ１１に格納されている、他ネットワークのＲＳＳＩモニタリング用のＲｘゲイン設定値を読み出してＲｘゲインアンプ６−Ｉ，６−Ｑ，８−Ｉ，８−Ｑに設定し（ステップＳ２）、第２のネットワークの基地局から受信し、Ａ／Ｄ変換器９によってデジタル化されたＩＱ信号の強度をＲＳＳＩとして測定する（ステップＳ３）。
【００２６】
ＣＰＵ１０は、測定したＲＳＳＩの値を送信部１−ＴＸを介して第１のネットワークの基地局に送信する。基地局は、ＲＳＳＩ値を基に、例えば第１のネットワークから第２のネットワークへの切り替えの妥当性判断を行う。
【００２７】
図３は従来の通常動作時のＲｘゲイン設定値を用いた場合のＲＳＳＩダイナミックレンジと本実施の形態のＲＳＳＩモニタリング用の最適Ｒｘゲイン設定値を用いた場合のＲＳＳＩダイナミックレンジとを示す図である。図８と同様に、便宜上、所望のＲＳＳＩ値に対して、±１．０ｄＢの範囲のＲＳＳＩ値をダイナミックレンジと規定している。図３におけるＤＬ０は通常動作時のＲｘゲイン設定値Ｇ０をＲｘゲインアンプ６−Ｉ，６−Ｑ，８−Ｉ，８−Ｑに設定したときのＲＳＳＩダイナミックレンジ、ＤＬ１は他ネットワークのＲＳＳＩモニタリング用のＲｘゲイン設定値Ｇ１をＲｘゲインアンプ６−Ｉ，６−Ｑ，８−Ｉ，８−Ｑに設定したときのＲＳＳＩダイナミックレンジである。
【００２８】
図３から明らかなように、通常動作時のＲｘゲイン設定値使用時のＲＳＳＩダイナミックレンジと比較して、本実施の形態のＲＳＳＩモニタリング用のＲｘゲイン設定値を使用した場合のＲＳＳＩダイナミックレンジの方がより広い範囲で特性を確保できていることが分かる。
【００２９】
以上のように、本実施の形態では、ハンドオーバー時に他ネットワークのＲＳＳＩモニタリング用のＲｘゲイン設定値をＲｘゲインアンプに設定することにより、使用するＲＦＩＣの最適なＲｘゲイン設定でＲＳＳＩモニタリングを行うことが可能となり、従来のように通常動作時のＲｘゲイン設定値を使用する場合よりもＲＳＳＩダイナミックレンジを広く確保することが可能となる。
【００３０】
［第２の実施の形態］
次に、本発明の第２の実施の形態について説明する。本実施の形態においても、携帯端末装置の送受信部の構成は第１の実施の形態と同様であるので、図１の符号を用いて説明する。通常動作時のＲｘゲインの制御動作は、図６に示したとおりである。
第１の実施の形態では、ハンドオーバー時に他ネットワークのＲＳＳＩモニタリング用のＲｘゲイン設定値をＲｘゲインアンプに設定してＲＳＳＩ値を測定したが、本実施の形態では、通常動作時に使用しているＲｘゲイン設定値を切り替えながら使用することでＲＳＳＩダイナミックレンジを確保する。
【００３１】
図４は本実施の形態のハンドオーバー時のＲＳＳＩモニタリング動作を示すフローチャートである。接続中の第１のネットワークから第２のネットワークに切り替えるハンドオーバーの際には、第１のネットワークの基地局は、ハンドオーバー時のＲＳＳＩモニタリングを行うよう携帯端末装置に指示する。携帯端末装置のＣＰＵ１０は、ＲＦＩＣ１を介して基地局からの指示を受け取ると（図４ステップＳ１０においてＹＥＳ）、不揮発メモリ１１に格納されている第２のネットワーク用の通常動作時のＲｘゲイン設定値のうち、ＲＳＳＩモニタリング用の初期値として予め決定されているＲｘゲイン設定値を読み出してＲｘゲインアンプ６−Ｉ，６−Ｑ，８−Ｉ，８−Ｑに設定し（ステップＳ１１）、第２のネットワークの基地局から受信し、Ａ／Ｄ変換器９によってデジタル化されたＩＱ信号の強度をＲＳＳＩとして測定する（ステップＳ１２）。
【００３２】
第２のネットワークのＲＳＳＩレベルは推測できないため、ＲＳＳＩモニタリング用の初期値を予め決定しておく必要がある。ここでは、通常動作時のＲｘゲイン設定値のうち、弱電界でＲＳＳＩダイナミックレンジが確保できるＲｘゲイン設定値Ｇｗが初期値として決められているものとする。
【００３３】
続いて、ＣＰＵ１０は、ステップＳ１２で測定したＲＳＳＩ値と不揮発メモリ１１に予め記憶されている所定の切替レベルとを比較し（ステップＳ１３）、ＲＳＳＩ値が切替レベルよりも大きい場合、次のＲＳＳＩモニタタイミングで不揮発メモリ１１に格納されている第２のネットワーク用の通常動作時のＲｘゲイン設定値のうち、ＲＳＳＩモニタリング時の切替用の値として予め決定されているＲｘゲイン設定値を読み出してＲｘゲインアンプ６−Ｉ，６−Ｑ，８−Ｉ，８−Ｑに設定し（ステップＳ１４）、ステップＳ１２と同様にして再度ＲＳＳＩ値を測定する（ステップＳ１５）。本実施の形態では、通常動作時のＲｘゲイン設定値のうち、弱電界でＲＳＳＩダイナミックレンジが確保できるＲｘゲイン設定値ＧｗをＲＳＳＩモニタリング用の初期値としていたので、切替用の値として予め決定されているＲｘゲイン設定値は、強電界でＲＳＳＩダイナミックレンジが確保できるＲｘゲイン設定値Ｇｓとなる（Ｇｗ＞Ｇｓ）。
【００３４】
図５は弱電界Ｒｘゲイン設定値Ｇｗを用いた場合のＲＳＳＩダイナミックレンジと強電界Ｒｘゲイン設定値Ｇｓを用いた場合のＲＳＳＩダイナミックレンジとを示す図である。図８と同様に、便宜上、所望のＲＳＳＩ値に対して、±１．０ｄＢの範囲のＲＳＳＩ値をダイナミックレンジと規定している。ここでは、切替レベルを−７０ｄＢｍとしている。図５におけるＤＬは、弱電界Ｒｘゲイン設定値Ｇｗを用いた場合のＲＳＳＩダイナミックレンジと強電界Ｒｘゲイン設定値Ｇｓを用いた場合のＲＳＳＩダイナミックレンジとを合わせたＲＳＳＩダイナミックレンジである。
【００３５】
以上のように、本実施の形態では、それぞれ弱電界と強電界に対応する通常動作時の２つのＲｘゲイン設定値を適切に切り替えることによって、弱電界Ｒｘゲイン設定値を用いた場合のＲＳＳＩダイナミックレンジと強電界Ｒｘゲイン設定値を用いた場合のＲＳＳＩダイナミックレンジを補い合うことが可能となるため、弱電界から強電界までの広範囲なＲＳＳＩダイナミックレンジを確保することが可能となる。
【００３６】
なお、本実施の形態では、通常動作時のＲｘゲイン設定値のうち、弱電界でＲＳＳＩダイナミックレンジが確保できるＲｘゲイン設定値ＧｗをＲＳＳＩモニタリング用の初期値としていたが、強電界でＲＳＳＩダイナミックレンジが確保できるＲｘゲイン設定値Ｇｓを初期値としてもよい。この場合、ＣＰＵ１０は、ステップＳ１３においてＲＳＳＩ値が切替レベルよりも小さい場合、次のＲＳＳＩモニタタイミングで不揮発メモリ１１に格納されている第２のネットワーク用の通常動作時のＲｘゲイン設定値のうち、切替用の値として予め決定されているＲｘゲイン設定値Ｇｗを読み出してＲｘゲインアンプ６−Ｉ，６−Ｑ，８−Ｉ，８−Ｑに設定し（ステップＳ１４）、再度ＲＳＳＩ値を測定すればよい（ステップＳ１５）。また、切替レベルは、外部からの設定により適宜変更可能である。
【００３７】
また、第１、第２の実施の形態において、ＬＮＡ２、ミキサ３−Ｉ，３−Ｑ、ＶＣＯ４、９０°位相分配器５、ＢＢフィルタ７−Ｉ，７−Ｑの構成は図１のとおりでなくてもよく、適宜変更可能である。
【産業上の利用可能性】
【００３８】
本発明は、複数の無線通信システムに対応したマルチモードの携帯端末装置に適用することができる。
【符号の説明】
【００３９】
１…ＲＦＩＣ、１−ＲＸ…受信部、１−ＴＸ…送信部、２…ＬＮＡ、３−Ｉ，３−Ｑ…ミキサ、４…ＶＣＯ、５…９０°位相分配器、６−Ｉ，６−Ｑ，８−Ｉ，８−Ｑ…Ｒｘゲインアンプ、７−Ｉ，７−Ｑ…ＢＢフィルタ、９…Ａ／Ｄ変換器、１０…ＣＰＵ、１１…不揮発メモリ。
【図１】
2011109220.tif 000003
【図２】
2011109220.tif 000004
【図３】
2011109220.tif 000005
【図４】
2011109220.tif 000006
【図５】
2011109220.tif 000007
【図６】
2011109220.tif 000008
【図７】
2011109220.tif 000009
【図８】
2011109220.tif 000010